(57)【特許請求の範囲】
【請求項１】
二つの表示領域を含む表示部を有し、二つの当該表示領域に複数の項目の情報を切り替え可能に表示する表示装置であって、
二つの前記表示領域のうち第１の表示領域に前記情報を切り替え表示する際の複数の前記項目の表示順序を記憶する順序記憶手段と、
前記順序記憶手段に記憶された複数の前記項目の前記表示順序に従って順次次の前記項目に切り替えて前記第１の表示領域に前記情報を表示する第１の表示手段と、
ユーザーによる操作に応じて第１の操作信号を出力する操作信号出力手段と、
前記第１の表示手段が前記第１の表示領域に前記情報を表示している状態において、前記操作信号出力手段から前記第１の操作信号が出力されると、当該第１の表示領域に表示している前記情報を二つの前記表示領域のうち第２の表示領域に表示する第２の表示手段と、
を備えることを特徴とする表示装置。
【請求項２】
前記第１の表示手段が前記第１の表示領域に前記情報を表示している状態において、前記操作信号出力手段から前記第１の操作信号が出力されると、当該第１の表示領域に表示している前記情報の前記項目を前記第２の表示領域に表示する前記項目として不揮発性メモリに記憶する項目記憶手段を備えることを特徴とする請求項１に記載の表示装置。
【請求項３】
前記第１の表示手段は、前記第１の表示領域に前記情報を表示している状態において、前記操作信号出力手段から前記第１の操作信号が出力された場合も、前記順序記憶手段に記憶された複数の前記項目の前記表示順序に従って順次次の前記項目に切り替えて前記第１の表示領域に前記情報を表示することを特徴とする請求項１又は２に記載の表示装置。
【請求項４】
前記第１の表示手段は、前記第２の表示領域に前記情報が表示されている状態において、前記順序記憶手段に記憶された前記表示順序で前記項目を切り替えて前記第１の表示領域に前記情報を表示する際には、前記第２の表示領域に表示されている前記情報の前記項目以外の項目の前記情報を表示することを特徴とする請求項１乃至３のいずれか一項に記載の表示装置。
【請求項５】
前記操作信号出力手段は、前記第１の操作信号に加えて、ユーザーによる操作に応じて当該第１の操作信号とは異なる第２の操作信号を出力するものであり、前記第１の表示手段は、前記操作信号出力手段から前記第２の操作信号が出力されると、前記順序記憶手段に記憶された前記表示順序で前記項目を切り替えて前記第１の表示領域に前記情報を表示することを特徴とする請求項１乃至４のいずれか一項に記載の表示装置。
【請求項６】
前記第１の表示手段は、前記操作信号出力手段から前記第２の操作信号が出力されるたびに、前記順序記憶手段に記憶された前記表示順序で前記項目を切り替えて前記第１の表示領域に前記情報を表示することを特徴とする請求項５に記載の表示装置。
【請求項７】
前記第１の表示手段は、前記操作信号出力手段から前記第２の操作信号が出力されると、前記順序記憶手段に記憶された前記表示順序で所定時間毎に前記項目を切り替えて前記第１の表示領域に前記情報を表示することを特徴とする請求項５に記載の表示装置。
【請求項８】
前記操作信号出力手段は、ユーザーによって操作される一つの操作部を含むものであり、前記第１の操作信号及び前記第２の操作信号は、前記操作部に対するユーザーの操作態様に応じて出力された信号であることを特徴とする請求項５乃至７のいずれか一項に記載の表示装置。
【請求項９】
前記操作信号出力手段は、ユーザーによって操作される二つの操作部を含むものであり、前記第１の操作信号及び前記第２の操作信号は、各操作部に対するユーザーによる操作に応じて出力された信号であることを特徴とする請求項５乃至７のいずれか一項に記載の表示装置。
【請求項１０】
前記表示部は、車室内に設けられるものであり、前記第１の表示手段及び前記第２の表示手段は、前記第１の表示領域及び前記第２の表示領域に表示する前記情報として車両情報を表示することを特徴とする請求項１乃至７のいずれか一項に記載の表示装置。
【発明の詳細な説明】
【技術分野】
【０００１】
本発明は、複数の項目の情報を切り替えて表示部に表示する表示装置に関するものである。特に、複数の項目の車両情報を切り替えて車室内に設けられた表示部に表示する車両用の表示装置に好適なものである。
【背景技術】
【０００２】
従来、複数の項目の情報を切り替えて表示部に表示する表示装置の一例として、特許文献１に開示された車両用表示装置があった。
【０００３】
この車両用表示装置は、複数種の車両情報を表示する表示手段と、操作者の操作に応じて信号を発する操作スイッチと、操作スイッチからの信号に基づいて車両情報を切り替え表示するように表示手段を制御する制御手段とを備える。そして、制御手段は、操作スイッチからの信号に基づいてその操作状態を判定し、操作状態が第１の操作状態の場合は複数種の車両情報を第１の順序に従って切り替え表示させ、操作状態が第１の操作状態とは異なる第２の操作状態の場合は、複数種の車両情報を第１の順序とは逆順となる第２の順序にて切り替え表示させるものである。
【先行技術文献】
【特許文献】
【０００４】
【特許文献１】特開２００９−１０７３６３号公報
【発明の概要】
【発明が解決しようとする課題】
【０００５】
ところで、特許文献１に開示された車両用表示装置においては、単に表示順序を第１の順序と、第１の順序とは逆順となる第２の順序とで切り替えるに過ぎない。例えば、ユーザーが所望する情報が二つある場合は、一方の情報を表示している間は、他方の情報を表示できず利便性が低い。
【０００６】
本発明は、上記問題点に鑑みなされたものであり、複数の項目の情報を切り替えて表示するものであって、利便性を高くすることができる表示装置を提供することを目的とする。
【課題を解決するための手段】
【０００７】
上記目的を達成するために請求項１に記載の表示装置は、二つの表示領域を含む表示部を有し、二つの表示領域に複数の項目の情報を切り替え可能に表示するものであって、
二つの表示領域のうち第１の表示領域に情報を切り替え表示する際の複数の項目の表示順序を記憶する順序記憶手段と、
順序記憶手段に記憶された複数の項目の表示順序に従って順次次の項目に切り替えて第１の表示領域に情報を表示する第１の表示手段と、
ユーザーによる操作に応じて第１の操作信号を出力する操作信号出力手段と、
第１の表示手段が第１の表示領域に情報を表示している状態において、操作信号出力手段から第１の操作信号が出力されると、第１の表示領域に表示している情報を二つの表示領域のうち第２の表示領域に表示する第２の表示手段とを備えることを特徴とするものである。
【０００８】
このように、第１の表示領域に情報を表示している状態において、第１の操作信号が出力されると、第１の表示領域に表示している情報を第２の表示領域に表示することによって、第２の表示領域においては、ユーザーが所望する項目の情報を常時表示しておくと共に、第１の表示領域においては、順序記憶手段に記憶された表示順序で項目を切り替えて表示することができる。よって、利便性を高くすることができる。
【０００９】
また、請求項２に示すように、第１の表示手段が第１の表示領域に情報を表示している状態において、操作信号出力手段から第１の操作信号が出力されると、第１の表示領域に表示している情報の項目を第２の表示領域に表示する項目として不揮発性メモリに記憶する項目記憶手段を備えるようにしてもよい。
【００１０】
このようにすることによって、表示装置への電源の供給が停止（電源オフ）されたとしても、再度電源の供給が開始（電源オン）された際には、第２の表示領域にはユーザーの所望する項目の情報を表示することができる。
【００１１】
また、請求項３に示すように、第１の表示手段は、第１の表示領域に情報を表示している状態において、操作信号出力手段から第１の操作信号が出力された場合も、順序記憶手段に記憶された複数の項目の表示順序に従って順次次の項目に切り替えて第１の表示領域に情報を表示するようにしてもよい。
【００１２】
このようにすることによって、第１の表示領域に表示している情報を第２の表示領域に表示した際に、同じ項目の情報を第１の表示領域に表示することを防止することができる。
【００１３】
また、請求項４に示すように、第１の表示手段は、第２の表示領域に情報が表示されている状態において、順序記憶手段に記憶された表示順序で項目を切り替えて第１の表示領域に情報を表示する際には、第２の表示領域に表示されている情報の項目以外の項目の情報を表示するようにしてもよい。
【００１４】
このようにすることによって、第２の表示領域に情報を表示している際に、同じ項目の情報を第１の表示領域に表示することを防止することができる。
【００１５】
また、請求項５に示すように、操作信号出力手段は、第１の操作信号に加えて、ユーザーによる操作に応じて第１の操作信号とは異なる第２の操作信号を出力するものであり、第１の表示手段は、操作信号出力手段から第２の操作信号が出力されると、順序記憶手段に記憶された表示順序で項目を切り替えて第１の表示領域に情報を表示するようにしてもよい。
【００１６】
また、第１の表示手段は、請求項６に示すように、操作信号出力手段から第２の操作信号が出力されるたびに、順序記憶手段に記憶された表示順序で項目を切り替えて第１の表示領域に情報を表示するようにしてもよい。
【００１７】
このようにすることによって、ユーザーの所望するタイミングで第１の表示領域に表示する項目を切り替えることができる。
【００１８】
また、第１の表示手段は、請求項７に示すように、操作信号出力手段から第２の操作信号が出力されると、順序記憶手段に記憶された表示順序で所定時間毎に項目を切り替えて第１の表示領域に情報を表示するようにしてもよい。
【００１９】
このようにすることによって、第２の操作信号を一度出力するだけで（つまり、ユーザーは一度の操作で）、第１の表示領域に表示する項目を切り替えることができる。
【００２０】
また、請求項８に示すように、操作信号出力手段は、ユーザーによって操作される一つの操作部を含むものであり、第１の操作信号及び第２の操作信号は、操作部に対するユーザーの操作態様に応じて出力された信号としてもよい。
【００２１】
このようにすることによって、操作部の数が増えることを防止できるので、搭載スペースが大きくなること及びコストが上がることを抑制することができる。
【００２２】
しかしながら、請求項９に示すように、操作信号出力手段は、ユーザーによって操作される二つの操作部を含むものであり、第１の操作信号及び第２の操作信号は、各操作部に対するユーザーによる操作に応じて出力された信号としてもよい。
【００２３】
また、請求項１０に示すように、表示部は、車室内に設けられるものであり、前記第１の表示手段及び第２の表示手段は、第１の表示領域及び第２の表示領域に表示する情報として車両情報を表示するようにしてもよい。つまり、車両用の表示装置に適用してもよい。
【００２４】
なお、車室内は、操作部などを搭載できるスペースが限られている。従って、車両用の表示装置に適用した場合、上述のように、操作信号出力手段は、ユーザーによって操作される一つの操作部を含み、操作部に対するユーザーの操作態様に応じた異なる二つの操作信号を出力するようにすると、操作部を増やす必要がないので特に好適である。
【図面の簡単な説明】
【００２５】
【図１】本発明の実施の形態におけるメータ装置の概略構成を示すブロック図である。
【図２】本発明の実施の形態におけるディスプレイ６の一部を示すイメージ図である。
【図３】本発明の実施の形態におけるメータ装置の処理動作を示すフローチャートである。
【図４】（ａ）、（ｂ）は、本発明の実施の形態におけるメータ装置における車両情報の表示動作の一例を説明する図面である。
【図５】（ａ）、（ｂ）は、本発明の実施の形態におけるメータ装置における車両情報の切り替え動作の一例を説明する図面である。
【図６】（ａ）、（ｂ）は、本発明の実施の形態におけるメータ装置における車両情報の表示動作の一例を説明する図面である。
【発明を実施するための形態】
【００２６】
以下、本発明の実施の形態を図に基づいて説明する。
【００２７】
本実施の形態においては、本発明の表示装置を車両用の表示装置であるメータ装置１０に適用した例を採用して説明する。
【００２８】
このメータ装置１０は、例えば、スピードメータ、タコメータ、燃料計などの計器類やオドメータ、フラッシャーインジケーター、各種ウォーニングなどをディスプレイ６（本発明の表示部に相当）に一括表示するコンビネーションメータなどを採用することができる。
【００２９】
また、ディスプレイ６は、図２に示すように、第１の表示領域、第２の表示領域を含むものである。そして、本実施の形態におけるメータ装置１０は、その第１の表示領域、第２の表示領域に複数の項目の情報（車両情報）を切り替え可能に表示するものである。本実施の形態においては、一例として、ユーザー（例えば、ドライバ）が所望する車両情報を切り替え可能に記憶することができ、そのユーザーが所望する車両情報を第２の表示領域に常時表示すると共に、さらにもう１つの車両情報を第１の表示領域に切り替え可能に表示する例を採用して説明する。
【００３０】
ただし、本発明は、これに限定されるものではなく、二つの表示領域を含むディスプレイを有し、その表示領域に複数の項目の情報を切り替え可能に表示するも表示装置であれば採用することができ、本発明の目的を達成できるものである。
【００３１】
上記車両情報の項目としては、例えば、明るさ調整、航続可能距離、給油後平均燃費、瞬間燃費、通算平均燃費、平均車速、走行時間、カスタマイズ、クリアランスソナー／ドア開、エネルギーフロー、ACC（Adaptive Cruise Control）/LKA（Lane Keeping Assist system）、タイヤ空気圧などを採用することができる。しかしながら、車両情報は、これらに限定されるものではない。なお、本実施の形態においては、切り替えて表示する車両情報の項目を項目Ａ、項目Ｂ、項目Ｃ、項目Ｄ、項目Ｅ、項目Ｆと簡略化して説明する。
【００３２】
図１に示すように、メータ装置１０は、メータＡＳＳＹ（アセンブリー）としてのＣＰＵ（Central Processing Unit）１、ＲＯＭ（Read Only Memory）２、ＲＡＭ（Random Access Memory）３、ＥＥＰＲＯＭ（Electronically Erasable and Programmable Read Only Memory、不揮発性メモリ）４、描画ＩＣ（Integrated Circuit）５、ディスプレイ６、ＣＡＮ（Controller Area Network）通信Ｉ／Ｆ（interface）７、電源Ｉ／Ｆ（interface）８、とメータＡＳＳＹ（ＣＰＵ１）に対して操作信号を出力する操作部９などを備える。また、メータ装置１０は、伝送路（ＣＡＮ通信用のバス）を介して第１コンピュータ２１、第２コンピュータ２２、第３コンピュータ２３と電気的に接続されている。さらに、メータ装置１０は、スイッチ３２（例えば、車両のイグニッションスイッチ）を介してバッテリー３１に電気的に接続可能に構成される。
【００３３】
メータ装置１０は、ＣＰＵ１、ＲＯＭ２、ＲＡＭ３、ＥＥＰＲＯＭ４、描画ＩＣ５、及びこれらの構成を接続するバスライン（図示省略）などによってコンピュータを構成して、これらによって後ほど説明する車両情報の表示処理などを実行する。
【００３４】
ＣＰＵ１は、スイッチ３２がオン状態であるときに、電源Ｉ／Ｆ８を介してバッテリー３１から給電されて動作するものである。このＣＰＵ１は、ＲＯＭ２に記憶された制御プログラム、ＲＯＭ２やＥＥＰＲＯＭ４に記憶されたデータ、及び操作部９から出力された操作信号などに基づいて、ＲＡＭ３を作業領域として用いて演算処理を行い、制御信号やＲＯＭ２に記憶された画像データなどを描画ＩＣ５に出力する。また、ＣＰＵ１は、第１コンピュータ２１、第２コンピュータ２２、第３コンピュータ２３から出力された車両情報のデータをＣＡＮ通信Ｉ／Ｆ７を介して取得して、この車両情報のデータを描画ＩＣ５に出力する。
【００３５】
なお、ＲＯＭ２には、ディスプレイ６に表示する計器類などの画像データや、ディスプレイ６の第１の表示領域に車両情報を切り替え表示する際の項目の表示順序（表示順序を示すデータ）などが記憶されている（順序記憶手段）。本実施の形態においては、項目Ａ、項目Ｂ、項目Ｃ、項目Ｄ、項目Ｅ、項目Ｆの順序で表示する例を採用する。なお、項目Ｆの次は、項目Ａに戻って同様の順序で表示する。従って、ＲＯＭ２には、項目Ａ、項目Ｂ、項目Ｃ、項目Ｄ、項目Ｅ、項目Ｆの順序で表示し、項目Ｆの次は、項目Ａに戻って同様の順序で表示する表示順序（表示順序を示すデータ）が記憶される。
【００３６】
ＲＡＭ３は、作業領域として用いられ、ＣＰＵ１が実行した処理の処理結果などが一時的に記憶される。ＥＥＰＲＯＭ４には、後ほど説明する第２の表示領域に表示する車両情報の項目（項目を示すデータ）が記憶される。なお、上述の項目の表示順序を示すデータは、ＥＥＰＲＯＭ４に記憶するようにしてもよい。
【００３７】
描画ＩＣ５は、ＣＰＵ１から取得した制御信号やデータに基づいて演算処理を行い、例えば、水平同期信号と垂直同期信号とからなる同期信号、光の３原色である赤色（Ｒ）と緑色（Ｇ）と青色（Ｂ）の各信号からなるＲＧＢ信号、表示クロック（ＣＬＫ）信号などを出力することによってディスプレイ６に対する表示制御を行う。
【００３８】
これによって、スピードメータ、タコメータ、燃料計などの計器類やオドメータ、フラッシャーインジケーター、各種ウォーニングなどがディスプレイ６に表示される。さらに、図２に示すように、ディスプレイ６の一部（第１の表示領域、第２の表示領域）には車両情報が表示される。
【００３９】
ディスプレイ６は、車室内の運転席に対向する位置に設けられるものであり、周知のカラー液晶ディスプレイなどを採用することができる。なお、本実施の形態においては、ディスプレイ６の一部に設けられる車両情報を表示する第１の表示領域、第２の表示領域を上下に配置する例（図２参照）を採用して説明するが、本発明はこれに限定されるものではない。例えば、第１の表示領域、第２の表示領域は左右に配置しても良いし、左上と右下のように配置してもよい。つまり、第１の表示領域、第２の表示領域を並べて配置する必要もない。さらに、第１の表示領域、第２の表示領域の大きさ（面積）は、同じにしてもよいし、異ならせてもよい。
【００４０】
操作部９は、ユーザーによる操作態様に応じて異なる二つの操作信号をＣＰＵ１に出力するものであり、例えば、周知の押しボタンスイッチなどを採用することができる（操作信号出力手段）。この操作部９は、例えば、ステアリングホイール（図示省略）やディスプレイ６の周辺に一つ配置される。なお、ＣＰＵ１は、この操作部９から出力された操作信号に基づいて操作部９に対するユーザーの操作態様を判定する。
【００４１】
本実施の形態においては、ＣＰＵ１は、第１の操作態様、第１の操作態様とは異なる第２の操作態様の二種類に区分して操作態様を判定できる例を採用して説明する。そして、各操作態様としては、例えば、第１の操作態様は操作部９のワンクリック（操作部９を規定時間以内に一回押下。以下、単押しとも称する。）、第２の操作態様は操作部９の長押し（操作部９を規定時間以上押下）などを採用することができる。つまり、操作部９は、操作部９が単押しされたことを示す操作信号（本発明の第２の操作信号に相当）と、操作部９が長押しされたことを示す操作信号（本発明の第１の操作信号に相当）を出力する。
【００４２】
このように、操作部９から出力された操作信号に基づいて操作部９に対するユーザーの操作態様を判定するのは、操作態様毎に実行する処理をかえるためである。この操作態様に応じて実行する処理の具体例としては、ＲＯＭ２に記憶された表示順序を示すデータに基づいてディスプレイ６の第１の表示領域に表示している車両情報の項目を切り替える処理、ディスプレイ６の第１の表示領域に表示している車両情報の項目をＥＥＰＲＯＭ４に記憶すると共に、その項目の車両情報を第２の表示領域に表示する処理である。なお、各操作態様と実行する処理との関係は、予め設定してＲＯＭ２などに記憶しておく。本実施の形態においては、単押しの場合（第２の操作信号が出力された場合）はＲＯＭ２に記憶された表示順序を示すデータに基づいて第１の表示領域に表示している車両情報の項目の切り替え処理を実行し、長押しの場合（第１の操作信号が出力された場合）は第１の表示領域に表示している車両情報の項目をＥＥＰＲＯＭ４に記憶すると共にその項目の車両情報を第２の表示領域に表示する処理を実行する例を採用する。
【００４３】
このように、操作部９に対するユーザーの操作態様毎に実行する処理をかえることによって（第１の表示領域に表示している車両情報の項目の切り替え処理と、第１の表示領域に表示している車両情報の項目をＥＥＰＲＯＭ４に記憶すると共にその項目の車両情報を第２の表示領域に表示する処理とをかえる）、操作部９の数が増えることを防止できるので、搭載スペースが大きくなること及びコストが上がることを抑制することができる。
【００４４】
さらに、車室内は、操作部９などを搭載できるスペースが限られている。従って、このように操作部９を増やす必要がない表示装置は車両用の表示装置であるメータ装置１０に好適である。
【００４５】
なお、本実施の形態においては、操作部９は、ＣＰＵ１に直接接続される例を用いて説明するが、本発明はこれに限定されるものではない。例えば、ＣＡＮ通信Ｉ／Ｆ７を介して接続されるようにしてもよい。
【００４６】
また、メータ装置１０は、上述のスピードメータ、タコメータ、燃料計などの計器類、オドメータ、フラッシャーインジケーター、各種ウォーニング、車両情報を表示するための各種計測データや各種検出データを第１コンピュータ２１、第２コンピュータ２２、第３コンピュータ２３から取得する。
【００４７】
本実施の形態においては、第１コンピュータ２１、第２コンピュータ２２、第３コンピュータ２３（ＣＡＮ通信用のバスを介して接続された３つのコンピュータ）が上述の各種計測データや各種検出データを出力する例を採用して説明するが、本発明はこれに限定されるものではない。例えば、ＣＡＮ通信用のバスを介さずにＣＰＵ１に電気的に接続されたセンサやコンピュータなど、上述の各種計測データや各種検出データを出力する装置であれば採用することができる。また、この各種計測データや各種検出データを出力する装置の数に関しても、特に限定されるものではない。
【００４８】
ここで、図３〜図６を用いて、本実施の形態におけるメータ装置１０の車両情報の表示処理動作に関して説明する。図２のフローチャートに示すメータ装置１０の処理は、例えば、スイッチ３２がオンとなりバッテリー３１からの電源の供給がなされるとスタートし、スイッチ３２がオフとなりバッテリー３１からの電源の供給が停止されるとエンドする。
【００４９】
まず、ステップＳ１０では、第２の表示領域に関しては、図４（ｂ）に示すように、ＥＥＰＲＯＭ４に記憶された項目（ここでは項目Ｂ）の車両情報をディスプレイ６に表示する。この第２の表示領域に表示する項目は、後ほど説明するステップＳ１４にて記憶される項目である。よって、ステップＳ１４にて項目が記憶されなかった場合（ステップＳ１４に進まなかった場合）は、第２の表示領域には何も表示しない。しかし、このような場合には、第２の表示領域に表示する項目が記憶されていないことを示す案内情報や、第２の表示領域に表示する項目を記憶することができることを示す案内情報などを表示するようにしてもよい。このようにすることによって、ユーザーに対して、第２の表示領域には、表示する項目を記憶できることを知らせることができる。
【００５０】
一方、第１の表示領域に関しては、図４（ａ）に示すように、ＲＯＭ２に記憶された項目の表示順序を示すデータに基づいて、最初に表示する項目（ここでは項目Ａ）の車両情報（つまり、順序が最初の項目の車両情報）をディスプレイ６に表示する。ただし、第１の表示領域に車両情報を表示する際には、第２の表示領域に表示している項目は飛ばして、ＲＯＭ２に記憶された項目の表示順序を示すデータにおける次の項目の車両情報を表示すると好ましい。例えば、第２の表示領域に項目Ａの車両情報を表示している場合は、第１の表示領域には項目Ｂの車両情報を表示する。つまり、第１の表示領域には、第２の表示領域に表示されている車両情報の項目以外の項目の車両情報を表示すると好ましい。このようにすることによって、同じ項目の車両情報を第１の表示領域、第２の表示領域の両方に表示することを防止することができる。
【００５１】
ステップＳ１１では、操作部９から操作信号が出力されたか否かによって操作部９が操作されたか否かを判定し、操作信号が出力されたと判定した場合は操作部９が操作されたとみなしてステップＳ１２へ進み、操作信号が出力されてないと判定した場合は操作部９が操作されてないとみなしてステップＳ１５へ進む。
【００５２】
ステップＳ１２では、ユーザーによる操作部９の操作時間を判定する。つまり、操作部９から出力された操作信号に基づいて操作部９に対するユーザーの操作態様が長押しであるか、単押しであるか判定する。そして、単押しであると判定した場合はステップＳ１３へ進み、長押しであると判定した場合はステップＳ１４へ進む。
【００５３】
なお、上述のように、操作部９に対するユーザーの操作態様が単押しの場合は、ＲＯＭ２に記憶された表示順序を示すデータに基づいてディスプレイ６の第１の表示領域に表示している車両情報の項目の切り替え処理を実行する。一方、操作部９に対するユーザーの操作態様が長押しである場合は、ディスプレイ６の第１の表示領域に表示している車両情報の項目をＥＥＰＲＯＭ４に記憶すると共に、その項目の車両情報を第２の表示領域に表示する処理を実行する。従って、このステップＳ１２の判定は、ＲＯＭ２に記憶された表示順序を示すデータに基づいてディスプレイ６の第１の表示領域に表示している車両情報の項目の切り替えることを示す操作信号を取得したか、ディスプレイ６の第１の表示領域に表示している車両情報の項目をＥＥＰＲＯＭ４に記憶すると共に、その項目の車両情報を第２の表示領域に表示することを示す操作信号を取得したかの判定と換言することができる。
【００５４】
よって、操作信号に基づいて操作部９に対するユーザーの操作態様が単押しであると判定した場合は、ＲＯＭ２に記憶された表示順序を示すデータに基づいて第１の表示領域に表示している車両情報の項目を切り替えることを示す操作信号を取得したとみなしてステップＳ１３へ進む。一方、操作信号に基づいて操作部９に対するユーザーの操作態様が長押しであると判定した場合は項目の記憶及びその項目の車両情報を第２の表示領域に表示することを示す操作信号を取得したとみなしてステップＳ１４へ進む。
【００５５】
ステップＳ１３では、第２の表示領域に関しては、項目の変更なし（ここでは、項目Ｂを表示し続ける）。一方、第１の表示領域に関しては、ＲＯＭ２に記憶された表示順序を示すデータに基づいてディスプレイ６の第１の表示領域に表示している車両情報の項目の切り替え処理を実行する（第１の表示手段、例えば、項目Ａの車両情報から項目Ｂの車両情報に切り替えて表示する）。
【００５６】
換言すると、第１の表示領域に関しては、予め設定された順序に従い、次の項目の車両情報をディスプレイ６に表示する。つまり、本実施の形態におけるメータ装置１０は、操作部９に対するユーザーの操作態様が単押しであると判定するたびに（操作部９から単押しされたことを示す操作信号が出力されるたびに）、ＲＯＭ２に記憶された表示順序のデータに基づいて車両情報を第１の表示領域に表示する（第１の表示手段）。よって、単押しされるたびに、項目Ａ、項目Ｂ、項目Ｃ、項目Ｄ、項目Ｅ、項目Ｆの順序で項目を切り替えて車両情報を表示する。なお、図４、６においては、実線の矢印は操作部９が単押しされたことを示す。
【００５７】
しかしながら、本実施の形態においては、第２の表示領域に車両情報が表示されている状態において、操作部９から単押しされたことを示す操作信号が出力されて、ＲＯＭ２に記憶された表示順序を示すデータに基づいて項目を切り替えてディスプレイ６の第１の表示領域に車両情報を表示する際には、第２の表示領域に表示されている車両情報の項目以外の項目の車両情報を表示するようにしてもよい。例えば、図４（ａ）に示すように、第２の表示領域に項目Ｂの車両情報が表示されている場合、操作部９から単押しされたことを示す操作信号が出力されると、第１の表示領域には、表示順序のデータにおいて項目Ｂを飛ばして項目Ｃの車両情報を表示する。このようにすることによって、第２の表示領域に車両情報を表示している際に、同じ項目の車両情報を第１の表示領域に表示することを防止することができる。
【００５８】
そして、ステップＳ１５では、電源がオフとなったか否かを判定し、電源オフになったと判定した場合は処理を終了（エンド）して、電源オフになってないと判定した場合はステップＳ１０に戻る。
【００５９】
ここで、上述のステップＳ１２での判定で、長押しであると判定した場合に行うステップＳ１４の処理に関して説明する。ステップＳ１４では、現在第１の表示領域に表示している車両情報の項目を第２の表示領域に表示する項目としてＥＥＰＲＯＭ４に記憶する（項目記憶手段）。さらに、第２の表示領域に関しては、現在第１の表示領域に表示している車両情報を表示する（第２の表示手段）。一方、第１の表示領域に関しては、ＲＯＭ２に記憶された表示順序を示すデータに基づいてディスプレイ６の第１の表示領域に表示している車両情報の項目の切り替え処理を実行する。
【００６０】
このように、第１の表示領域に車両情報を表示している状態において、操作部９から長押しされたことを示す操作信号が出力されると、第１の表示領域に表示している車両情報を第２の表示領域に表示することによって、第２の表示領域においては、ユーザーが所望する項目の車両情報を常時表示しておくと共に、第１の表示領域においては、ＲＯＭ２に記憶された表示順序で項目を切り替えて表示することができる。従って、利便性の高いメータ装置１０を提供することができる。
【００６１】
また、第１の表示領域に車両情報を表示している状態において、操作部９から長押しされたことを示す操作信号が出力されると、第１の表示領域に表示している車両情報の項目を第２の表示領域に表示する項目としてＥＥＰＲＯＭ４に記憶することによって、メータ装置１０への電源の供給が停止（スイッチ３２オフ）されたとしても、再度電源の供給が開始（スイッチ３２オン）された際には、第２の表示領域にはユーザーの所望する項目の車両情報を表示することができる。ただし、本発明は、第１の表示領域に表示している車両情報の項目を第２の表示領域に表示する項目としてＥＥＰＲＯＭ４に記憶しなくても目的は達成できるものである。
【００６２】
なお、第１の表示領域に関しては、第１の表示領域に車両情報を表示している状態において、操作部９から長押しされたことを示す操作信号が出力された場合も、ＲＯＭ２に記憶された表示順序を示すデータに基づいて項目を切り替えて第１の表示領域に車両情報を表示する（第１の表示手段）ようにしてもよい（図３参照）。
【００６３】
例えば、第１の表示領域に項目Ｄの車両情報を表示しており、第２の表示領域に項目Ｂの車両情報を表示している状態において、操作部９から長押しされたことを示す操作信号が出力された場合、第２の表示領域に関しては、図５（ｂ）に示すように、第１の表示領域に表示していた項目Ｄの車両情報を表示する。一方、第１の表示領域に関しては、図５（ａ）に示すように、表示順序を示すデータに基づいて、次の項目である項目Ｅの車両情報を表示する。なお、図５においては、太い実線の矢印は操作部９が長押しされたことを示す。
【００６４】
なお、このようにした後は、第２の表示領域に項目Ｄの車両情報が表示されている場合（図６（ｂ）参照）、操作部９から単押しされたことを示す操作信号が出力されるたびに、第１の表示領域には、項目Ｄを飛ばして項目Ａから項目Ｆの車両情報が順番に表示される（図６（ａ）参照）。このようにすることによって、第２の表示領域に車両情報を表示している際に、同じ項目の車両情報を第１の表示領域に表示することを防止することができる。
【００６５】
このようにすることによって、第１の表示領域に表示している車両情報を第２の表示領域に表示した際に、同じ項目の車両情報を第１の表示領域に表示することを防止することができる。
【００６６】
また、近年、車両用の表示装置であるメータ装置１０に表示する車両情報の項目は、１０項目以上になることもありうる。従って、このように、ユーザーが所望する一つの車両情報は常時表示しつつ、その他の車両情報は切り替え表示することができる表示装置はメータ装置１０に好適である。
【００６７】
以上、本発明の好ましい実施形態について説明したが、本発明は上述した実施形態に何ら制限されることはなく、本発明の趣旨を逸脱しない範囲において、種々の変形が可能である。
【００６８】
例えば、上述の実施の形態においては、ユーザーによる操作態様に応じて異なる二つの操作信号をＣＰＵ１に出力する操作部９を用いる例を採用して説明したが、本発明はこれに限定されるものではない。ユーザーによる操作される二つの操作部を設け、各操作部に対するユーザーによる操作に応じて異なる二つの操作信号を出力する（操作信号出力手段）ようにしてもよい。つまり、一方の操作部は、ＲＯＭ２に記憶された表示順序を示すデータに基づいて第１の表示領域に表示している車両情報の項目の切り替え処理の実行を示す操作信号（第２の操作信号）を出力し、他方の操作部は、第１の表示領域に表示している車両情報を第２の表示領域に表示する処理の実行を示す操作信号（第１の操作信号）又は、第１の表示領域に表示している車両情報の項目をＥＥＰＲＯＭ４に記憶すると共にその項目の車両情報を第２の表示領域に表示する処理の実行を示す操作信号（第１の操作信号）を出力するようにする。
【００６９】
また、上述の実施の形態においては、操作部９に対するユーザーの操作態様が単押しであると判定するたびに（操作部９から単押しされたことを示す操作信号が出力されるたびに）、ＲＯＭ２に記憶された表示順序のデータに基づいて車両情報を第１の表示領域に表示する（第２の表示領域に表示されている車両情報の項目を飛ばしてもよい）例を採用して説明したが、本発明はこれに限定されるものではない。
【００７０】
例えば、操作部９に対するユーザーの操作態様が単押しであると判定すると（操作部９から単押しされたことを示す操作信号が出力されると）、ＲＯＭ２に記憶された表示順序のデータに基づいて所定時間毎に車両情報を第１の表示領域に切り替え表示する（第２の表示領域に表示されている車両情報の項目を飛ばしてもよい）ようにしてもよい。
【００７１】
さらに、メータ装置１０に電源が供給されると、ＲＯＭ２に記憶された表示順序のデータに基づいて所定時間毎に車両情報を第１の表示領域に表示する（第２の表示領域に表示されている車両情報の項目を飛ばしてもよい）ようにしてもよい。
【符号の説明】
【００７２】
１  ＣＰＵ、２  ＲＯＭ、３  ＲＡＭ、４  ＥＥＰＲＯＭ、５  描画ＩＣ、６  ディスプレイ（表示部）、７  ＣＡＮ通信Ｉ／Ｆ、８  電源Ｉ／Ｆ、９  操作部、１０  メータ装置（表示装置）、２１  第１コンピュータ、２２  第２コンピュータ、２３  第３コンピュータ、３１  バッテリー、３２  スイッチ
【図１】
0005381667.tif 000002
【図２】
0005381667.tif 000003
【図３】
0005381667.tif 000004
【図４】
0005381667.tif 000005
【図５】
0005381667.tif 000006
【図６】
0005381667.tif 000007